(57)【要約】【課題】ロータと回転保持ユニットとの接続を、センターブレによる偏芯回転をなくするように行うことが出来る回転清掃体を提供する。【解決手段】機器に回転自在に装着されると共に、外周に清掃体６を有するロータ２と、該ロータ２の端部に接続されるブラケット８、軸受け部１５、シャフト１４を有する回転保持ユニット７と、前記ロータ２と前記ブラケット８とを結合させる連結係止手段１８を備え、前記ロータ２の端部には端面に行くに従い小径と成るテーパー凸部５、及び前記ブラケット８には端面から他端に向かい小径と成るテーパー凹部１１をそれぞれ設け、前記テーパー凸部５と前記テーパー凹部１１とをテーパー嵌合させてある。【選択図】図１
2014030558.tif 000002
【特許請求の範囲】
【請求項１】
機器に回転自在に装着されると共に、外周に清掃体を有するロータと、該ロータの端部にそれぞれ接続されるブラケット、軸受け部、シャフトを有する回転保持ユニットと、前記ロータと前記ブラケットとを結合させる連結係止手段を備え、前記ロータの端部には端面に行くに従い小径と成るテーパー凸部、及び前記ブラケットには端面から他端に向かい小径と成るテーパー凹部をそれぞれ設け、前記テーパー凸部と前記テーパー凹部とをテーパー嵌合させたことを特徴とする回転清掃体。
【請求項２】
連結係止手段は、テーパー凸部とテーパー凹部にそれぞれテーパーネジを形成し、前記それぞれのテーパーネジを螺合結合させたことを特徴とする請求項１記載の回転清掃体。
【請求項３】
機器に回転自在に装着されると共に、外周に清掃体を有するロータと、該ロータの端部に接続されるブラケット、軸受け部、シャフトを有する回転保持ユニットと接続具とを備え、前記ブラケットに端部から他端に向かい小径と成るテーパー凹部を形成し、該テーパー凹部と嵌合する、端部から他端側に大径と成るテーパー凸部を外周部に有する前記接続具が前記ロータの端部に装着されていることを特徴とする回転清掃体。
【請求項４】
テーパー凹部とテーパー凸部にはそれぞれテーパーネジを形成し、前記それぞれのネジを螺合結合させたことを特徴とする請求項３記載の回転清掃体。
【請求項５】
接続具は、その両端間を結ぶ空間部を設けると共に、ロータへの接続時における前記ロータの長手方向に直交する断面形状を略Ｃ形としたことを特徴とする請求項３あるいは請求項４記載の回転清掃体。
【請求項６】
空間部には、ねじれ防止凸部と、このねじれ防止凸部が挿入されるねじれ防止凹部を設けたことを特徴とする請求項５記載の回転清掃体。
【請求項７】
接続具は、ロータに対して着脱自在に設けられたことを特徴とする請求項３〜６のいずれか１項に記載の回転清掃体。
【請求項８】
請求項１〜７のいずれか１項に記載の回転清掃体を装着したことを特徴とする電気掃除機用床吸込み具。
【請求項９】
電動送風機と、請求項８に記載の電気掃除機用床吸込み具とを備え、前記電動送風機と前記電気掃除機用床吸込み具とを連通させたことを特徴とする電気掃除機。
【請求項１０】
機器内に送風機と該送風機の上流側に配されて流入する空気中に含まれる塵埃を捕集するエアーフィルターと、請求項１〜７のいずれか１項に記載の回転清掃体とを備え、該回転清掃体にて前記エアーフィルターで捕集された塵埃を除去するようにしたことを特徴とする送風機を内蔵する電気機器。
【発明の詳細な説明】
【技術分野】
【０００１】
本発明は、回転清掃体に関し、この回転清掃体を使用して床面から塵埃を捕集する電気掃除機や電気掃除機用床吸込み具、及び空気中の塵埃をフィルターで捕集し、この捕集された塵埃をフィルターから回転清掃体で除塵する空気調和機等の送風機を内蔵する電気機器に関するものである。
【背景技術】
【０００２】
従来より、床面から塵埃を捕集する電気掃除機や、フィルター体から除塵する空気調和機等の電気機器に内蔵されている回転清掃体は、機器に回転自在に取着されており、両端に比較的小径のシャフトを備えた円筒状のロータと、該ロータの外周に装着された清掃体と、前記シャフトに回転駆動力を付与するブラケット、該ブラケットを回転自在に保持する軸受体を備え、ロータとブラケットはシャフトを介して螺合あるいは、直接嵌合されて連結されていたものが知られている（特許文献１〜３）。
【０００３】
例えば特許文献１における円筒状の回転子と端面保持体の連結方法は、具体的に記載がないが、回転子の左右の端部にそれぞれ軸保持穴が穿設され、この保持穴に金属製で小径の軸の一端部が圧入固着されるのが一般的である。軸の他端部側には端面保持体が螺着され、他端部は軸受体に回転自在に保持されている。
【０００４】
しかしながら、一般的な床吸込み具において、この種の回転子の全長は約２０ｃｍと比較的長く形成され、両端に穿設されるそれぞれの軸保持穴の回転中心軸を、回転子の回転中心軸線上に設けることは容易ではない。回転子の回転中心軸を軸保持穴の回転中心軸線上に形成する為には、冶工具を精巧に製作する必要や冶具への回転子の取り付けに時間を要したりと、作業者の熟練技術が必要とされていた。特に、回転子の中心軸線上から軸保持穴のセンターが外れると、軸受を保持して回転子を回転させた際に偏芯回転と成り、被清掃面に突条帯が均一に当接せず、捕集ムラや除塵ムラが生じ易く、さらに、機器全体の異常振動や騒音が生じ易くなる恐れがある。また、回転子の両端に軸が突出している為に、組み立て時や分解時等で誤ってコンクリート等の硬い床上に落下させると、軸が変形してしまう恐れもある。
【０００５】
また、特許文献２における軸部と回転軸受部の連結は、軸部に回転軸は圧入固着されていないので、特許文献１の課題は解決するが、軸部と回転軸受部を螺合結合させるために、軸部の左右の端部にはそれぞれ配設孔を、軸部の中心軸線上に位置するよう穿設し、この配設孔にナット部を埋設する必要がある。このためには、特許文献１と同様に配設孔の穿設加工が容易ではない。さらに、回転軸の外径は、一般的には約４ｍｍと小径のために、軸部や回転軸部との螺合結合がやりにくい事もあった。
【０００６】
さらに、特許文献３におけるロータとリングの連結は、円筒状のロータの外周の両端部をそれぞれ、リングの内周部で回転保持することで、上記特許文献１および２の課題は解決できるが、ロータとリングの嵌合を容易にするためには、ロータの外周径とリングの内周径には、大きめな隙間を設ける必要がある。しかし、ロータの径が小さく成形された場合には隙間がより大きくなり、ロータの回転時にこの隙間でガタつきが生じて、偏芯回転がおきやすくなる。そのため、特許文献１と同様の捕塵ムラや除塵ムラが生じ易く、さらに、機器全体が異常振動したり騒音が生じやすい。また、寸法精度を厳しくすると、当然組み立てや分解時等において、その作業が容易に出来なくなる。
【先行技術文献】
【特許文献】
【０００７】
【特許文献１】特開平２−１９１２４号公報
【特許文献２】特開平９−１９３８８号公報
【特許文献３】特開平７−１２４０８５号公報
【発明の概要】
【発明が解決しようとする課題】
【０００８】
ロータの両端に各ブラケットの連結結合を確実かつ容易に行え、ロータの回転中心軸線上にブラケットの回転中心軸を同一とすることで、回転清掃体の回転時において、偏芯回転が生じないようにすることを目的とする。
【課題を解決するための手段】
【０００９】
請求項１の発明では、機器に回転自在に装着されると共に、外周に清掃体を有するロータと、該ロータの端部にそれぞれ接続されるブラケット、軸受け部、シャフトを有する回転保持ユニットと、前記ロータと前記ブラケットとを結合させる連結係止手段を備え、前記ロータの端部には端面に行くに従い小径と成るテーパー凸部、及び前記ブラケットには端面から他端に向かい小径と成るテーパー凹部をそれぞれ設け、前記テーパー凸部と前記テーパー凹部とをテーパー嵌合させたことを特徴としている。したがって、回転清掃体を構成するロータとブラケットとがテーパー嵌合されるので、ロータがブラケットに対して斜めに挿入されることを防止でき、ロータの回転中心軸とブラケットの回転中心軸を容易に同一とすることが出来る。
【００１０】
請求項２の発明では、請求項１の発明の連結係止手段は、テーパー凸部とテーパー凹部にそれぞれテーパーネジを形成し、前記それぞれのテーパーネジを螺合結合させたことを特徴としている。したがって、回転清掃体を構成するロータとブラケットのどちらか一方を回転しながら押し込むとテーパー螺合されるので、ロータの回転中心軸とブラケットの回転中心軸を容易に同一とすることができ、さらに連結固定を同時にすることが出来る。また、各ネジの径は、比較的大きいので、その螺合結合は容易である。
【００１１】
請求項３の発明では、機器に回転自在に装着されると共に、外周に清掃体を有するロータと、該ロータの端部に接続されるブラケット、軸受け部、シャフトを有する回転保持ユニットと接続具とを備え、前記ブラケットに端部から他端に向かい小径と成るテーパー凹部を形成し、該テーパー凹部と嵌合する、端部から他端側に大径と成るテーパー凸部を外周部に有する前記接続具が前記ロータの端部に装着されていることを特徴としている。したがって、特に、ロータを押し出し成形で製作する場合においては、押し出し成形後にロータの両端部に後加工でテーパー凸部をそれぞれ加工しなければならないが、テーパー凸部を有する接続具をロータの端面にそれぞれ挿入固定しながらブラケットと接続するだけなので、ロータ製作の大幅な簡略化が可能となる。また、テーパー凸部をロータに形成せずに別部材として組み合せることで、ロータをブラケットの一番奥まで挿入した後に、接続具をブラケットに押し込んで接続することができる。このように接続することで、テーパー凸部とテーパー凹部の接続状態にかかわらず全長を一定に保った回転清掃体を製造することができる。
【００１２】
請求項４の発明では、請求項３の発明のテーパー凹部とテーパー凸部にはそれぞれテーパーネジを形成し、前記それぞれのネジを螺合結合させたことを特徴としている。したがって、回転清掃体を構成する端部に接続具を備えたロータとブラケットのどちらか一方を回転しながら押し込むとテーパー螺合されるので、ロータの中心軸とブラケットの中心軸を容易に同一とすることができ、さらに、連結固定を同時にすることが出来る。また、各ネジの直径は、比較的大きいので、その螺合結合は容易である。さらに、一般的にロータを軽量化するためには発泡樹脂等を用いて成型するが、ロータに直接ネジを形成すると、ネジ山間のピッチを小さくするのが困難であったり、ネジを加工しても強度的には弱くなり再螺合が難しくなる。しかし、接続具にネジを形成すると、ロータより強度的に強い材質を接続具に用いることができるので、軽量化が可能と成る。
【００１３】
請求項５の発明では、請求項３あるいは４の発明の接続具はその両端間を結ぶ空間部を設けると共に、ロータへの接続時における前記ロータの長手方向に直交する断面形状を略Ｃ形としたことを特徴としている。したがって、ロータへの接続時における前記ロータの長手方向に直交する断面形状を略Ｃ形とした接続具（以下、Ｃ形接続具と呼ぶ）とロータを嵌合するとき、Ｃ形接続具には空間部が形成されているので、この空間部を開きながらロータに嵌めこむことができ、嵌合が容易である。また、ロータの外径とＣ形接続具の内径を略同一とするか、ロータの外径に対してＣ形接続具の内径を小さくすることで、Ｃ形接続具はロータをその全周で締め付けることができる。さらに、ブラケットとＣ形接続具を螺合すると、Ｃ形接続具はブラケットにより強固に締められて、ロータとより強力に嵌合が出来るので、回転清掃体の回転時において、ロータとブラケットとのスリップも解消できる。また、Ｃ形接続具に設けた空間部は、Ｃ形接続具がブラケットに螺合しながら押し込まれていくにつれて次第に閉じていき、Ｃ形接続具とロータ間の隙間が完全に無くなるまで閉じることができる。そのため、ロータの直径にバラツキがあり、規定寸法よりも小径なロータを接続する場合であっても、Ｃ形接続具の空間部によってバラツキを吸収しながら確実に締め付け固定することができる。
【００１４】
請求項６の発明では、請求項５の発明の空間部には、ねじれ防止凸部と、このねじれ防止凸部が挿入されるねじれ防止凹部を設けたことを特徴としている。ねじれ防止凸部及びねじれ防止凹部が無い場合、ロータに取り付けられたＣ形接続具とブラケットを回転しながら螺合させると、空間部を挟んで各ネジ山間にずれが生じた場合は螺合できなくなる。しかし、ねじれ防止凸部及びねじれ防止凹部を設けることで、ねじれ防止凸部が、ねじれ防止凹部に挿入されるために前記ずれは生じることが無く、螺合を確実に行うことが出来る。
【００１５】
請求項７の発明では、請求項３から６のいずれか１項の発明の接続具はロータに対して着脱自在に設けられたことを特徴としている。したがって、回転清掃体を構成する清掃体が例えば摩耗した際、ロータの外周に装着されている清掃体のみを交換することができる。もちろん、ロータに清掃体が固着されている場合も、ロータと清掃体のみ交換できる、すなわち清掃体が摩耗した際に、軸受け部等を含む回転清掃体全体を交換する必要がない。
【００１６】
請求項８の発明は、電気掃除機用床吸込み具の発明であって、請求項１〜７のいずれか１項の発明の回転清掃体を装着したことを特徴としている。したがって、ロータとブラケットの結合面をテーパー状とすることで、両部品の回転中心軸を同一とした回転清掃体を備えた電気掃除機用床吸込み具を提供できる。
【００１７】
請求項９の発明は、電気掃除機の発明であって、電動送風機と、請求項８の発明の電気掃除機用床吸込み具とを備え、前記電動送風機と前記電気掃除機用床吸込み具とを連通させたことを特徴としている。したがって、ロータとブラケットの結合面をテーパー状とすることで、両部品の回転中心軸を同一とした回転清掃体となり、前記回転清掃体を備えた電気掃除機用床吸込み具を備えた電気掃除機であるので、低振動で、かつ低騒音および床面の清掃ムラを無くすことが可能と成る電気掃除機を提供できる。
【００１８】
請求項１０の発明は電気機器の発明であって、機器内に送風機と該送風機の上流側に配されて流入する空気中に含まれる塵埃を捕集するエアーフィルターと、請求項１〜７のいずれか１項の発明の回転清掃体とを備え、該回転清掃体にて前記エアーフィルターで捕集された塵埃を除去するようにしたことを特徴としている。したがって、ロータとブラケットの結合面をテーパー状とすることで、両部品の回転中心軸を同一とすることが出来る回転清掃体を備えた電気機器であるので、低振動で、かつ低騒音およびエアーフィルターに捕集された塵埃の捕集ムラを無くすことが可能と成る空気調和機あるいはプロジェクター等の各種電気機器を提供できる。
【発明の効果】
【００１９】
本発明の回転清掃体は、請求項１〜７の発明では、ロータとブラケットの嵌合結合が、簡易でかつ確実に行われるので、回転清掃体の回転時に偏芯回転が生じにくく、振動や騒音さらには清掃ムラや除塵ムラを無くす回転清掃体を提供することができる。また、請求項８の発明では、請求項１〜７のいずれかの回転清掃体を備えた電気掃除機用床吸込み具を提供することができる。さらに請求項９の発明では、請求項８の電気掃除機用床吸込み具を備えた電気掃除機を提供できる。さらにまた、請求項１０の発明では、請求項１〜７のいずれかの回転清掃体と、少なくとも送風機とエアーフィルターとを装着した電気機器を提供できる。
【図面の簡単な説明】
【００２０】
【図１】本発明の回転清掃体の第１実施形態を示す部分断面図
【図２】図１に示した回転清掃体のＡ−Ａ断面図
【図３】図１に示したロータと清掃体の取り付けを示す斜視図
【図４】本発明の回転清掃体の第２実施形態を示す要部平面図
【図５】図４に示した回転清掃体のＢ−Ｂ部分断面図
【図６】本発明の回転清掃体の第３実施形態を示す要部部分断面図
【図７】本発明の回転清掃体の第４実施形態を示す要部部分断面図
【図８】図７に示した接続具の斜視図
【図９】本発明の回転清掃体の第５実施形態を示す要部部分断面図
【図１０】本発明の回転清掃体の第６実施形態を示す要部部分断面図
【図１１】図１０に示したＣ形接続具の斜視図
【図１２】本発明の回転清掃体の第７実施形態を示すロータとＣ形接続具の取り付けを示す斜視図
【図１３】本発明の回転清掃体を備えた電気掃除機用床吸込み具を示す一部分解斜視図
【図１４】本発明の電気掃除機用床吸込み具を備えた電気掃除機を示す全体側面図
【図１５】本発明の回転清掃体と送風機とエアーフィルターとを装着した電気機器を示す断面図
【発明を実施するための形態】
【００２１】
以下、図面を参照しながら、回転清掃体の各実施の形態について詳細に説明する。なお、以下の説明では、同一または相当部分には同一符号を付し、重複する説明は省略する。
【実施例１】
【００２２】
本発明の回転清掃体の実施の形態１について、図１〜図３を用いて説明する。
【００２３】
図１は、本発明の回転清掃体の第１実施形態を示す部分断面図である、図２は、図１に示した回転清掃体のＡ−Ａ断面図である。図３は、図１に示したロータと清掃体の取り付けを示す斜視図であり、図３中の一点鎖線の矢印は取り付け方法を示すものである。回転清掃体１は、後述するロータ２と清掃体６と回転保持ユニット７で構成されている。ロータ２は、樹脂やアルミ材等より円筒状に形成され外周長手方向に複数設けられた支持溝３と、両端にそれぞれロータ端面４に向かい小径と成るテーパー凸部５とが形成されている。清掃体６はブラシ等より成り、一端が支持溝３に挿入支持されている。なお、支持溝３は、ロータ２の外周に直線状に形成したが、螺旋状に形成してもよい。特に、清掃体６の形状や、ロータ２への取り付け方法は任意である。また、本実施例では支持溝３に清掃体６の一端を挿入支持する構成としているが、ロータ２の外周面に植毛穴を複数設け、その植毛穴に毛材を丸線植毛することで清掃体としてもよい。
【００２４】
回転保持ユニット７は、後述するブラケット８、シャフト１４、軸受け部１５、より構成されて、ロータ２に結合固着されている。ブラケット８は外部からの回転駆動力をロータ２に伝達する役目を担い、中央にシャフト固定穴９と、ブラケット端面１０から他端側に向かい直線で徐々に小径と成るテーパー凹部１１とが形成されている。この時、テーパー凹部１１のテーパー角度はテーパー凸部５と同一とする。１２は、シャフト固定穴９とテーパー凹部１１との境界であるロータ端面４の当接面である。スリップ防止壁１３はテーパー凹部１１に設けられており、ブラケット８とロータ２のテーパー嵌合時に支持溝３に挿入することで、ブラケット８とロータ２が、スリップが無く確実に回転させることが出来る。
【００２５】
シャフト１４は金属より成り、シャフト固定穴９に圧入固定されている。軸受け部１５は、シャフト１４の他端側を回転自在に保持する軸受け１６を有し、シャフト１４の他端部により、シャフト１４から抜け落ち無いように保持されている。ワッシャー１７は、シャフト１４に回転自在に保持され、軸受け部１５とブラケット８の間に設けられている。ロータ２と回転保持ユニット７とは、連結係止手段１８の一つである接着剤をテーパー凸部５に塗布して、結合固着されている。
【００２６】
上記構成としたことにより、清掃体６が装着されたロータ２のテーパー凸部５の外周に連結係止手段１８である接着剤を塗布し、回転保持ユニット７に設けられているテーパー凹部１１にテーパー凸部５を挿入し、ロータ端面４が当接面１２に当接するまで押しこむことで、回転清掃体１とすることができる。この際、ロータ２およびブラケット８の接合面がテーパーになっているため、ロータ２がブラケット８に対して斜めに挿入された状態で結合固着してしまうことを防止できる。そのため、ロータ２の回転中心軸とシャフト１４の回転中心軸を確実に同一とすることが出来る。なお、スリップ防止壁１３は、連結係止手段１８の一つである接着剤により固定出来るので、形成しなくともよい。
【００２７】
しかしながら、スリップ防止壁１３を設けることによりブラケット８の回転力を前記接着剤に全て頼ることなく、機械的に確実にスリップなくロータ２に伝達することが出来るので、例えば、連結係止手段１８の一つである接着剤を、スリップ防止壁１３に塗布するだけで、支持溝３との固着が可能と成り、前記接着剤の使用量を大幅に減少できる。また、スリップ防止壁１３は、複数設けられた支持溝３に挿入するよう、複数設けることで、連結をより確実とすることが出来る。なお、スリップ防止壁１３は支持溝３に挿入されているが、ロータ２にスリップ防止壁１３が挿入される専用の嵌合穴（図示せず）を設けても良い。
【実施例２】
【００２８】
本発明の回転清掃体の実施の形態２について、図４と図５を用いて説明する。
【００２９】
図４は、本発明の回転清掃体の第２実施形態を示す要部平面図であり、ブラケットとロータの連結係止手段を示す。図５は、図４に示した回転清掃体のＢ−Ｂ部分断面図である。連結係止手段１８の構成は、テーパー凹部１１の端部に形成された嵌合凸部１９と、テーパー凸部５に形成され嵌合凸部１９と着脱自在に嵌合する嵌合凹部２０より成っている。２１は、嵌合凸部１９の両側に形成された一対の溝であり、第５図において上下方向に可動自在となるよう嵌合凸部１９に弾性を持たせるためのものである。前記溝２１の幅は、少なくともマイナスドライバーの先端が差し込まれるくらいが望ましい。金型穴２２は、嵌合凸部１９を成型する際のスライド用金型が入り込む為の穴である。
【００３０】
上記構成としたことにより、嵌合凸部１９と嵌合凹部２０が合うように、結合させるだけで接着剤を使用せずに確実に嵌合固定される。また、例えば、清掃体６が摩耗した場合は、溝２１や金型穴２２にマイナスドライバーの先端を嵌めこみ、上方に上げることで、容易に嵌合固定は解放され、清掃体６が交換できる。なお、嵌合凸部１９と嵌合凹部２０は、必要に応じて、複数形成しても良い。
【実施例３】
【００３１】
本発明の回転清掃体の実施の形態３について、図６を用いて説明する。
【００３２】
図６は、本発明の回転清掃体の第３実施形態を示す要部部分断面図であり、ロータとブラケットの連結係止手段を示す。連結係止手段１８の構成は、テーパー凸部５に形成された凸部ネジ２３と、テーパー凹部１１に形成され凸部ネジ２３に螺合する凹部ネジ２４より成っている。上記構成したことにより、ロータ２ないしブラケット８のいずれか一方を持ち、ロータ端面４が当接面１２に当接するまで回転させて押し込むだけで、連結係止が完了と成る。当然ロータ２の回転中心軸とシャフト１４の回転中心軸は、確実に同一とすることが出来る。なお、実施例２を、本実施例３に応用すれば、より確実に連結固定ができる。
【実施例４】
【００３３】
本発明の回転清掃体の実施の形態４について、図７、図８を用いて説明する。
【００３４】
図７は、本発明の回転清掃体の第４実施形態を示す要部部分断面図である。図８は、図７に示した接続具の斜視図である。まず、ロータ２をブラケット８の当接面１２まで挿入し、接続具２５をブラケット８に螺合結合する。その後、ロータ２と接続具２５は接着剤等で固着される。接続具２５は略円筒状に形成され、円筒状のロータ２の外周と嵌合する嵌合穴２６と、外周の小径である一端面２７から大径である他端面２８に向かいストレートに大径と成るテーパー面に、凹部ネジ２４に螺合結合するテーパーネジ２９とが設けられている。スリップ防止リブ３０は嵌合穴２６に形成され、支持溝３に挿入される。
【００３５】
上記構成としたことにより、ロータ２の両端に後加工でテーパー凸部を形成する必要がないため、ロータ製作の簡略化が可能になる。また、ロータ２を当接面１２まで挿入してから接続具２５を螺合結合するため、ロータ２は常に当接面１２まで突き当たる。そのため、ブラケット８と接続具２５の接続状態にかかわらず、全長を常に一定に保った回転清掃体１を製造することができる。このように回転清掃体１の全長がバラツキなく一定になると、回転清掃体１を機器へ組み込む際に、回転清掃体１と機器の隙間を最小限に抑えることができる。そのため、回転清掃体１を回転させた際に長手方向へのガタつきが抑えられ、振動や騒音を抑えることができる。また、ロータ２を軽量化するためには、発泡樹脂材料を用いるのが一般的であるが、ネジ間のピッチが細かいと強度的に弱くなり、螺合の際、ネジ山が崩れたり、再螺合が出来なくなってしまうが、ロータ２とは異材質で強度的に強い材料の接続具を用いることで、解決することが出来る。なお、スリップ防止リブ３０を設け、支持溝３に挿入させると回り止めと成り、回転清掃体１の回転時において、前記スリップ防止リブ３０と支持溝３間では、スリップが無くなり、確実に回転力が伝達されるので、接着剤での固定の際、接着剤の使用量を大幅に削減することが可能と成る。
【実施例５】
【００３６】
本発明の回転清掃体の実施の形態５について、図９を用いて説明する。
【００３７】
図９は、本発明の回転清掃体の第５実施形態を示す要部部分断面図である。３９は略円筒状に形成された接続具であり、接続具３９は、ロータ２の外周面に挿入されると共に、接続具３９の外面に形成されたテーパー凸部６５が、ブラケット８の一端部の内周部に形成されたテーパー凹部９１に嵌合されている。接続具３９は、各種金属や樹脂材料から形成されており、接続具３９をロータ２の外周面に挿入し、ロータ２をブラケット８の当接面１２に当接させた後、接続具３９をくさびのように押し込んで固定する。なお、ブラケット８と接続具３９は、接着剤やスリップ防止リブで固定しても良い。
【００３８】
また、接続具３９の材質として、弾性を有する樹脂材料を使用する事もできる。前記材料を使用した場合には、接続具３９をくさびのように押し込んで固定する時に、接続具３９が有する弾性がロータ２及びブラケット８にたいして常時押し付ける為、組付け後のロータ２とブラケット８の脱落が防止できる。
【実施例６】
【００３９】
本発明の回転清掃体の実施の形態６について、図１０及び図１１を用いて説明する。
【００４０】
図１０は、本発明の回転清掃体の第６実施の形態を示す要部部分断面図である。図１１は、図１０に示したＣ形接続具の斜視図である。３１は円筒状に形成されたＣ形接続具であり、一端面２７から他端面２８間には直線状の隙間を有する空間部３２が形成されていると共に、外周に凹部ネジ２４に螺合する様、テーパーネジ２９が形成されている。このような構造のため、Ｃ形接続具３１をロータ２へ接続した際に、ロータ２の長手方向に直交するＣ形接続具３１の断面形状は略Ｃ形となっている。ねじれ防止凸部３４は、空間部３２の下面３３から上方に突出している。ねじれ防止凹部３６は、空間部３２の上面３５で上方に切りかかれており、ねじれ防止凸部３４が挿入されている。３７は、Ｃ形接続具３１の移動用の調整隙間で、一端面２７と当接面１２間に形成している。なお、嵌合穴２６の直径は、ロータ２の外径と略同一か、やや小さく形成されている。
【００４１】
上記構成としたことにより、Ｃ形接続具３１は空間部３２が形成されているので、この空間部３２を広げながら、ロータ２の両端部にそれぞれ嵌合させることで、嵌合が容易にできると共に、嵌合穴２６の直径が、ロータ２の外径より小さく形成されているため、嵌合穴２６はロータ２をその全周で締め付けるので嵌合が確実にできる。さらに、凹部ネジ２４とテーパーネジ２９とを螺合結合させると、より強力に締め付けられて、固定をより確実に行うことが出来る。また、ねじれ防止凹部３６とねじれ防止凸部３４を設けることで、凹部ネジ２４とテーパーネジ２９とを螺合結合させる際に、下面３３と上面３５との間で空間部３２の長手方向のずれを防止できるので、螺合結合を確実に行うことが出来る。
【００４２】
なお、ロータ２の外径が規定寸法よりやや小さく成型された場合、凹部ネジ２４とテーパーネジ２９とを螺合結合させると、Ｃ形接続具３１に形成された空間部３２が、ロータ２の外径が規定寸法と略同一に成形された場合よりも閉じることができる。そのため、嵌合穴２６の内径が小さくなり、小径のロータ２であっても確実に締め付け固定できる。また、空間部３２がロータ２の外径が規定寸法と略同一に成形された場合よりも閉じるため、Ｃ形接続具３１の外径も小さくなる。そのため、ブラケット８と螺合結合した際には、ロータ２の長手方向の端部寄りにＣ形接続具３１が移動する。一方、ロータ２の外径がやや大きく成型された場合は、凹部ネジ２４とテーパーネジ２９とを螺合結合させると空間部３２がロータ２の外径が規定寸法と略同一に成形された場合よりも開くことにより、Ｃ形接続具３１の外径は大きくなるため、ブラケット８と螺合結合した際には、ロータ２の長手方向の中央寄りに移動する。すなわち、ロータ２の外径寸法がばらついても、Ｃ形接続具３１がロータ２上を左右に移動するので、回転清掃体１の全長は常に同一寸法が確保されるとともに、ロータ２の外径寸法が若干ばらついても、ロータ２を破棄することなく使用が可能と成る。なお、空間部３２の形状は、ノコギリ刃状あるいは波形状に形成しても、ねじれ防止凹部３６とねじれ防止凸部３４の組合せと同等の効果を得られる。
【実施例７】
【００４３】
本発明の回転清掃体の実施の形態７について、図１２を用いて説明する。
【００４４】
図１２は、本発明の回転清掃体の第７実施形態を示すロータとＣ形接続具の取り付けを示す斜視図である。突起リブ４７、４７は、空間部３２の下面３３と上面３５の他端面２８側にそれぞれ形成されている。角穴３８は、ロータ２の端面４がＣ形接続具４１の一端面２７からはみ出るような位置に設けられ、ロータ２の両端部にそれぞれ形成されている。角穴３８内に突起リブ４７、４７を保持することで、Ｃ形接続具４１をロータ２に対して着脱自在としている。
【００４５】
上記構成としたことにより、他端面２８側の空間部３２を広げながら、突起リブ４７、４７を角穴３８に嵌めこむ。これにより、突起リブ４７、４７と角穴３８より成る連結係止手段４８となり、回転清掃体１が回転した際、ロータ２とＣ形接続具４１はスリップすることなく確実に回転し、分離することがない。さらに、例えば清掃体６が摩耗等して、交換する際は、空間部３２を広げることで比較的容易に、角穴３８から突起リブ４７、４７を外すことが出来る。すなわち、ロータ２とＣ形接続具４１は着脱自在に形成される。
【００４６】
図１３は、本発明の回転清掃体を備えた電気掃除機用床吸込み具を示す一部分解斜視図である。この図に示す電気掃除機用床吸込み具５０の下ケース５１の前部５２の底部５３に開口する吸込み口５４に清掃体６の開放端が臨むようにして軸受け部１５を下ケース５１の両側部の軸受支え５５に嵌め合わせて保持していると共に、回転清掃体１の駆動装置は、ブラケット８の外周に形成されたギアに卷回されたベルト５６を介して前記回転清掃体１を駆動回転する。また、駆動装置は下ケース５１に設ける仕切り５７から後部分において下ケース５１にかぶせている上ケース５８とによって構成する後部５９に内蔵している。
【００４７】
回転清掃体１を取り付けた下ケース５１の部分には、着脱自在に前ケース（図示せず）をかぶせた前部５２が構成されており、この中で回転清掃体１が回転すると清掃体６の開放端が吸込み口５４において床面と接触摩擦して床面に付着している塵を離脱し跳ね上げる。電気掃除機用床吸込み具５０は、上記下ケース５１の仕切り５７の中央部に吸込み開口６０を設け、後部５９に上ケース５８と下ケース５１とに挟んでパイプ６１を取り付け、これを延長管やフレキシブルホース（ともに図示せず）へ接続している。掃除機（図示せず）を運転すると電気掃除機用床吸込み具５０の吸込み口５４から床面の空気が吸入され、上記吸込み開口６０、パイプ６１を通って掃除機（図示せず）へ吸い込まれる。この時、清掃体６が回転することにより、床面の塵は跳ね上げられて空気と共に吸入される。
【００４８】
図１４は、本発明の電気掃除機用床吸込み具を備えた電気掃除機を示す全体側面図である。図中の矢印は空気流を示す。電気掃除機７０は、前部に塵埃を捕集する集塵室７１と、後部に電動送風機７２を内蔵した電動送風機室７３をそれぞれ備えた掃除機本体７４と、集塵室７１に連通するように一端が掃除機本体７４に接続されるホース７５と、ホース７５の他端に設けられたハンドルパイプ７６に着脱自在に接続される延長管７７とを備え、延長管７７の他端に電気掃除機用床吸込み具５０が接続される。
【００４９】
上記構成により、掃除機本体７４を運転し、ハンドルパイプ７６を操作して、電気掃除機用床吸込み具５０に内蔵された駆動体であるモーター（図示せず）により回転清掃体１が回転し、塵埃が清掃体６により掻き上げられ、電動送風機７２による吸引力で、空気と共に塵埃が延長管７７、ホース７５を通って集塵室７１に流れ込んで、塵埃のみそこで捕集される。
【００５０】
図１５は、本発明の回転清掃体と送風機とエアーフィルターとを装着した電気機器である空気調和機を示す断面図である。図中の矢印は空気流を示す。
【００５１】
空気調和機８０は、熱交換器８１と、室内の空気を取り入れる吸込み口８２と、熱交換器８１と吸込み口８２との間に配され、吸込み口８２から流入する空気中に含まれる塵埃を捕獲するエアーフィルター８３と、このエアーフィルター８３の上流側に配されると共に、エアーフィルター８３で捕獲された塵埃を除去する回転清掃体１と、回転清掃体１を回転駆動する回転駆動手段（図示せず）と、回転清掃体１をエアーフィルター８３の上流側の表面に沿って上下方向に移動（白抜き矢印）させる上下移動手段（図示せず）と、吸込み口８２から室内の空気を吸引し、エアーフィルター８３、熱交換器８１を通して、吹き出し口８４から熱交換された空気を室内に吹き出す送風機８５とを備えている。
【００５２】
なお、本発明の趣旨を逸脱しない範囲で様々な実施形態を採用、組合せできることは言うまでもないことである。
【産業上の利用可能性】
【００５３】
本発明は、床面上に堆積した塵埃を回転により捕獲する電気掃除機用床吸込み具や、室内の空気を清浄化あるいは機器内への塵埃の侵入を防止する塵埃捕集用のフィルターと送風機を備えた空気調和機あるいはプロジェクター等に装着される回転清掃体を備えた各種電気機器に利用することが出来る。
【符号の説明】
【００５４】
１  回転清掃体
２  ロータ
３  支持溝
４  ロータ端面
５、６５  テーパー凸部
６  清掃体
７  回転保持ユニット
８  ブラケット
９  シャフト固定穴
１０  ブラケット端面
１１、９１  テーパー凹部
１２  当接面
１３  スリップ防止壁
１４  シャフト
１５  軸受け部
１６  軸受け
１７  ワッシャー
１８、４８  連結係止手段
１９  嵌合凸部
２０  嵌合凹部
２１  溝
２２  金型穴
２３  凸部ネジ
２４  凹部ネジ
２５、３９  接続具
２６  嵌合穴
２７  一端面
２８  他端面
２９  テーパーネジ
３０  スリップ防止リブ
３１、４１  Ｃ形接続具
３２  空間部
３３  下面
３４  ねじれ防止凸部
３５  上面
３６  ねじれ防止凹部
３７  調整隙間
３８  角穴
４７  突起リブ
５０  電気掃除機用床吸込み具
５１  下ケース
５２  前部
５３  底部
５４  吸込み口
５５  軸受支え
５６  ベルト
５７  仕切り
５８  上ケース
５９  後部
６０  吸込み開口
６１  パイプ
７０  電気掃除機
７１  集塵室
７２  電動送風機
７３  電動送風機室
７４  掃除機本体
７５  ホース
７６  ハンドルパイプ
７７  延長管
８０  空気調和機
８１  熱交換器
８２  吸込み口
８３  エアーフィルター
８４  吹き出し口
８５  送風機
【図１】
2014030558.tif 000003
【図２】
2014030558.tif 000004
【図３】
2014030558.tif 000005
【図４】
2014030558.tif 000006
【図５】
2014030558.tif 000007
【図６】
2014030558.tif 000008
【図７】
2014030558.tif 000009
【図８】
2014030558.tif 000010
【図９】
2014030558.tif 000011
【図１０】
2014030558.tif 000012
【図１１】
2014030558.tif 000013
【図１２】
2014030558.tif 000014
【図１３】
2014030558.tif 000015
【図１４】
2014030558.tif 000016
【図１５】
2014030558.tif 000017